(57)【要約】【課題】作業内容やメンテナンス対象となる建物に隣接する建物との離間距離に応じて作業床の拡張或いは縮小といった変更が容易であり、外壁面からの突出部に応じて足場の位置を調整することが可能な吊足場構造を提供する。【解決手段】腕部１１と垂下部１２と支柱部１３からなる略コ字形の枠体１０を、支柱部１３が腰壁１００の内側に、垂下部１２が腰壁１００の外側に位置するように配置し、垂下部１２に取り付けた壁当てジャッキ２０と支柱部１３に取り付けた壁当てジャッキ３０とで上記腰壁１００を挟んで固定し、垂下部１２の下端に取り付けたブラケット４１，４２に踏板端部のフック６１をかけて足場とする。【選択図】図１
2008002261.tif 000002
【特許請求の範囲】
【請求項１】
上端部が開放された壁躯体に取り付ける吊足場構造であって、
上記壁躯体の内側の床面に起立した支柱部と、該支柱部上端から壁躯体の外側に向かって伸出した腕部と、該腕部の先端から垂下した垂下部とからなる略コ字形の一対の枠体と、
前記一対の枠体に掛け渡された踏板及び手摺と、を有し、
前記一対の枠体は、前記支柱部に着脱自在に取り付けられた第１の当接部材と、前記垂下部に着脱自在に取り付けられた第２の当接部材とで前記壁躯体を挟み込んで固定され、
前記第１及び第２の当接部材がそれぞれ出寸法の調節機構を備え、該調節機構が、前記一対の枠体が相対する方向において該枠体の外側に配置された筒体と該筒体内を進退自在に移動する軸部とを有するジャッキ機構であり、
前記踏板は、前記枠体の垂下部下端部において着脱自在にブラケットを介して取り付けられ、
前記手摺が、一対の手摺支柱と少なくとも１本の手摺棒とからなり、該手摺支柱が前記ブラケットに着脱自在に取り付けられ、該手摺棒が一対の手摺支柱間もしくは該手摺支柱と垂下部との間に掛け渡されている
ことを特徴とする吊足場構造。
【請求項２】
前記踏板に支柱の下端を載置、固定された梯子を備えたことを特徴とする請求項１に記載の吊足場構造。
【発明の詳細な説明】
【技術分野】
【０００１】
本発明は、住宅等の建物の外壁のメンテナンスを行う際に、腰壁やパラペット等の壁躯体に取り付けて該壁躯体の外側に作業用の足場を設置するための吊足場構造に関する。
【背景技術】
【０００２】
従来から、建物が完成した後に外壁や外装のメンテナンスを行うために、建物の屋上パラペット、ベランダや窓の腰壁等をコ字形の部材で挟み込んで固定する吊足場が用いられていた（例えば、特許文献１，２参照）。このような吊足場は、一般的な足場のように地上から所望の高さまで順次組み上げてゆく必要がなく、作業が高所に限定される場合にも簡易に設置することができるという点や、地上面に障害物が有ったり、足場を設置するための十分な広さが確保できない場合にも容易に設置できるという点で有効である。
【０００３】
【特許文献１】特開２００２−２４２４２３号公報
【特許文献２】特開２００３−８２８２４８号公報
【発明の開示】
【発明が解決しようとする課題】
【０００４】
しかしながら従来の吊足場は、取り付けの際の微調整は可能であるものの、足場上で行う作業内容やメンテナンスの対象となる建物に隣接する建物との離間距離に応じて作業床を拡張或いは縮小したいという要望や、外壁面からの突出物（例えば庇、出窓、看板、照明器具）の突出寸法に応じて吊足場の位置を調整したいという要望に応えられないという問題があった。
【０００５】
本発明の課題は、作業内容やメンテナンス対象となる建物に隣接する建物との離間距離に応じて作業床の拡張或いは縮小といった変更が容易であり、外壁面からの突出部に応じて足場の位置を調整することが可能な吊足場構造を提供することにある。
【課題を解決するための手段】
【０００６】
本発明は、上端部が開放された壁躯体に取り付ける吊足場構造であって、
上記壁躯体の内側の床面に起立した支柱部と、該支柱部上端から壁躯体の外側に向かって伸出した腕部と、該腕部の先端から垂下した垂下部とからなる略コ字形の一対の枠体と、
前記一対の枠体に掛け渡された踏板及び手摺と、を有し、
前記一対の枠体は、前記支柱部に着脱自在に取り付けられた第１の当接部材と、前記垂下部に着脱自在に取り付けられた第２の当接部材とで前記壁躯体を挟み込んで固定され、
前記第１及び第２の当接部材がそれぞれ出寸法の調節機構を備え、該調節機構が、前記一対の枠体が相対する方向において該枠体の外側に配置された筒体と該筒体内を進退自在に移動する軸部とを有するジャッキ機構であり、
前記踏板は、前記枠体の垂下部下端部において着脱自在にブラケットを介して取り付けられ、
前記手摺が、一対の手摺支柱と少なくとも１本の手摺棒とからなり、該手摺支柱が前記ブラケットに着脱自在に取り付けられ、該手摺棒が一対の手摺支柱間もしくは該手摺支柱と垂下部との間に掛け渡されている
ことを特徴とする。
【０００７】
上記本発明の吊足場構造においては、前記踏板に支柱の下端を載置、固定された梯子を備えた構成を好ましい態様として含む。
【発明の効果】
【０００８】
本発明の吊足場構造においては、以下のような効果が得られる。
【０００９】
（１）枠体に着脱自在に取り付けられた、出寸法の調節機構を備えた第１の当接部材と第２の当接部材により該枠体を壁躯体に取り付けるため、足場構造の壁躯体からの離間寸法の調節範囲が広く、外壁面に突出物が有る場合でも、該突出物の突出寸法に応じた足場の位置調整を容易に行うことができる。
【００１０】
（２）踏板を取り付けるブラケットが枠体から着脱自在であり、該ブラケットの長さを容易に変更することができるため、適切な長さのブラケットを選択して踏板のサイズや枚数を変更することにより、作業床面の拡張や縮小を自由に行うことができる。よって、吊足場上で行う作業内容やメンテナンス対象の建物に隣接する建物との離間距離に応じた作業床を容易に設置することができ、目的とする作業効率を向上することができる。
【００１１】
（３）本発明において梯子を備えた構成によれば、地上面に梯子を設置する必要がないので地上面の障害物の有無に関わらず、上方への移動が可能となる。また、地上面よりも高い位置に設置することになるため、高い建物であって長い梯子を用意する必要がなく、対応力が高い。
【発明を実施するための最良の形態】
【００１２】
以下、図面を参照して本発明を詳細に説明する。
【００１３】
図１は、本発明の吊足場構造の好ましい実施形態を示す模式図であり、該構造を図１のＡ方向から見た図を図２に、Ｂ方向から見た図を図４に示す。また、図１中のＣ−Ｃ’断面をＡ方向から見た図を図３に示す。
【００１４】
本発明の吊足場構造は、上端部が開放された壁躯体に取り付けて用いられる。本発明において上端部が開放された壁躯体とは、具体的には住宅の屋上やベランダ、窓などの腰壁やパラペット（胸壁）など、上端部に取り付けを妨げる障害物のない鉛直方向に起立する壁構造が挙げられる。図１〜図４は、腰壁１００に本発明の吊足場構造を取り付けた例である。
【００１５】
本発明の吊足場構造は、図１〜図４に示すように、基本構成として一対の枠体１０と手摺５０と足場となる踏板６２とを有している。各部材について説明する。
【００１６】
〔枠体１０〕
枠体１０は、腰壁１００の内側の床面に起立した支柱部１３と、該支柱部１３の上端から腰壁１００の外側に向かって伸出した腕部１１と、該腕部の先端から垂下した垂下部１２とからなる略コ字形をしており、所定の距離を置いて一対で用いられる。支柱部１３の下端には、アンダーベース１４を下端に備えたジャッキベース１５が取り付けられ、当該構成により腰壁１００の高さに応じて支柱部１３の高さを調節することができる。よって、腰壁１００の上端に荷重をかけずに枠体１０を取り付けることができ、腰壁１００の上部の手摺や笠木（いずれも不図示）を保護することができる。また、腰壁１００の上端と腕部１１との間に所望の間隙を形成することができるため、該腕部１１を足場への移動の際の手摺として用いることができる。
【００１７】
枠体１０は、支柱部１３に取り付けた壁当てジャッキ（第１の当接部材）２０と、垂下部１１に取り付けた壁当てジャッキ（第２の当接部材）３０とで腰壁１００を挟み込んで固定される。壁当てジャッキ２０，３０はそれぞれ出寸法（端部と腰壁１００との距離）が調節可能なように、筒体２１，３１と該筒体２１，３１内を進退自在に移動する軸部２２，２３とからなるジャッキ機構を有し、筒体２１，３１がそれぞれ支柱部１３，垂下部１２に着脱自在に取り付けられている。よって、係る枠体１０は、壁当てジャッキ２０，３０によって腰壁１００から垂下部１２まで所望の距離で腰壁１００に取り付けることができ、また、壁当てジャッキ２０，３０が腰壁１００の壁面に対して常に直角に当接するので安定した固定状態を保つことができる。
【００１８】
尚、筒体２１，３１の支柱部１３，垂下部１２への取り付け位置は一対の枠体１０の相対する方向において枠体１０の外側である。また、筒体２１，３１の支柱部１３，垂下部１２への取り付けは、枠体１０に付設した受け部１６に、筒体２１，３１に設けた楔形状の差し込み片２１ａ，３１ａを差し込むだけで良く、容易に着脱することができる。よって、隣接する建物までの離間距離が狭い場合であっても、枠体１０の腰壁１００への取り付け、取り外しを効率よく行うことができ、壁当てジャッキ２０，３０の交換も容易に実施することができる。
【００１９】
〔踏板６２〕
踏板６２は枠体１０の垂下部１２下端部に取り付けた外ブラケット４１及び／又は内ブラケット４２を介して枠体１０に取り付けられる。通常、踏板６２は両端部にブラケット４１，４２に係止するためのフック６１を備えており、該フック６１をブラケット４１，４２に掛けることで着脱自在に取り付けられる。また、本発明にかかる外ブラケット４１及び内ブラケット４２はそれぞれ垂下部１２に付設された受け部１６に楔形状の差し込み片４１ａ，４２ａを差し込むことで枠体１０に着脱自在に取り付けられている。さらに、壁当てジャッキ３０は枠体１０の外側に配置されているため、該壁当てジャッキ３０に妨げられることなく、容易に踏板６２をロープ等で吊り降ろしてブラケット４１，４２に掛けることができる。また、ブラケット４１，４２も壁当てジャッキ３０に妨げられることなく容易に着脱することができることから、長さの異なるブラケット４１，４２に取り替えて踏板６２のサイズや枚数を容易に変更することができる。尚、外ブラケット４１，内ブラケット４２の組み合わせは自由であり、一方のみを用いてもかまわない。
【００２０】
〔手摺５０〕
手摺５０は、一対の手摺支柱５１と少なくとも１本の手摺棒からなり、該手摺支柱５１は中空に形成されており、その下端を外ブラケット４１の端部に嵌め込むことで枠体１０に着脱自在に取り付けられる。手摺棒は、一対の手摺支柱５１間もしくは手摺支柱５１と垂下部１２との間に掛け渡される。図１〜図４においては、一対の手摺支柱５１間に１本の長手摺棒５２を掛け渡し、それぞれの手摺支柱５１と垂下部１２との間に１本の短手摺棒５３を掛け渡している。即ち、長手摺棒５２は踏板６２の長手方向の長さに対応し、短手摺棒５３は外ブラケット４１の長さに対応する。手摺棒５２，５３は両端部に下方に突出する差し込み片５２ａ，５３ａを有し、該差し込み片５２ａ，５３ａを枠体１０に付設した受け部１６に差し込むことで着脱自在に構成されている。
【００２１】
尚、図１〜図４においては手摺支柱５１を外ブラケット４１に嵌め込んで垂下部１２の外側（腰壁１００から離れる側）に手摺５０を付設する構成を示したが、内ブラケット４１を利用して垂下部１２の腰壁１００側に手摺を付設しても良い。さらに、手摺棒５２，５３は上下に複数本平行に取り付けても良い。
【００２２】
さらに図１〜図４の例においては、一対の支柱部１３間に長手摺棒５２と同じ部材である繋部材８１，８２を掛け渡しており、該繋部材８１，８２は足場に移動する際の梯子として利用することができる。
【００２３】
〔組み立て手順〕
以下に、図１〜図４に示した吊足場構造の組み立て手順を説明する。
【００２４】
（１）部材一式を吊足場構造を取り付ける腰壁１００付近に搬送する。
【００２５】
（２）枠体１０の垂下部１２の下端に付設した受け部１６にブラケット４１，４２に付設した差し込み片４１ａ，４２ａを差し込んで該ブラケット４１，４２を枠体１０に取り付ける。
【００２６】
（３）枠体１０の垂下部１２の下端に付設した受け部１６に壁当てジャッキ３０の筒体３１に付設した差し込み片３１ａを差し込んで、該壁当てジャッキ３０を枠体１０に取り付ける。
【００２７】
（４）壁当てジャッキ３０の軸部３２を回転させて、枠体１０を所定の位置に設置した場合に該壁当てジャッキ３０の当接部が腰壁１００の外壁に当接するように調整する。
【００２８】
（５）枠体１０の支柱部１３の下端にベースジャッキ１５とアンダーベース１４を取り付ける。ベースジャッキ１５は枠体１０の腕部１１が所定の高さになるように壁当てジャッキ３０と同じ要領で高さを調整する。
【００２９】
（６）枠体１０の垂下部１２を腰壁１００の外側に持ち出し、枠体１０が腰壁１００を跨ぐようにする。
【００３０】
（７）支柱部１３に付設した受け部１６に壁当てジャッキ２０の筒体２１に付設した差し込み片２１ａを差し込み、壁当てジャッキ２０を枠体１０に取り付ける。
【００３１】
（８）壁当てジャッキ２０の軸部２２を回転させて腰壁１００の内壁に当接部を当接させ、枠体１０の鉛直性を確認しながら、内外の壁当てジャッキ２０，３０の当接部で腰壁１００をしっかりと挟持する。
【００３２】
（９）上記（２）〜（８）の要領で、踏板６２，長手摺棒５２，繋部材８１，８２の長さに対応する所定の距離をおいて、他方の枠体１０を腰壁１００に取り付ける。
【００３３】
（１０）腰壁１００の内側から外ブラケット５１先端部に手摺支柱５１を嵌め込んで取り付ける。
【００３４】
（１１）枠体１０の垂下部１２に付設した受け部１６と手摺支柱５１に付設した受け部１６に短手摺棒５３両端部の差し込み片５３ａを差し込んで取り付ける。
【００３５】
（１２）手摺支柱５１に付設した受け部１６に長手摺棒５２の両端部の差し込み片５２ａを差し込んで取り付ける。
【００３６】
（１３）踏板６２の両端にロープ等の吊り下げ治具を取り付け、腰壁１００の内側から二人で踏板６２を吊り下げて降ろし、両端のフック６１をブラケット４１，４２に掛ける。
【００３７】
（１４）枠体１０の支柱部１３に付設した受け部１６に繋部材８１，８２の両端部の差し込み片８１ａ，８２ａを差し込んで取り付ける。
【００３８】
〔梯子１１０〕
本発明においては、さらに梯子１１０を備えた構成とすることにより、当該吊足場から上方への移動が可能となり、作業範囲を大幅に広げることができる。以下に、梯子を備えた構成について図５〜図１２を参照して説明する。尚、図５〜図８は、図１の吊足場に梯子１１０を取り付けた実施形態である。
【００３９】
本発明において、梯子１１０を取り付ける方向としては、図５，図６に示すように、梯子１１０の支柱１１０ａが踏板６２の長手方向に平行になるように配置して、踏板６２の長手方向に平行に昇降する構成（１）と、図７，図８に示すように、梯子１１０の支柱１１０ａが踏板６２の長手方向に直行するように配置して、踏板６２の長手方向に直行する方向に昇降する構成（２）とがある。いずれの場合も、梯子１１０の支柱１１０ａの下端は踏板６２に固定されている。
【００４０】
先ず、上記構成（１）について図５，図６，図９〜図１１を用いて説明する。図５は図６のＣ−Ｃ’断面をＢの方向から見た図である。
【００４１】
構成（１）の場合、梯子１１０を立てかけるための梯子受け９０を吊足場に取り付ける。係る梯子受け９０は、横断面が円形の鋼管パイプからなり、支柱９０ａとブラケット９０ｂからなるＬ字状であり、図９に示すように、支柱９０ａの下端に吊足場の手摺支柱５１上端の直径が細くなっている連結部５１ａを嵌め込み、ブラケット９０ｂが踏板６２の長手方向に対して直角となるように調整する。
【００４２】
係る構成（１）においては、梯子受け９０の支柱９０ａの下端近傍と、手摺支柱５１の上端の連結部５１ａにはそれぞれ孔９０ｃ、５１ｃが設けられており、上記のように支柱９０ａの下端に連結部５１ａを嵌め込んだ状態で孔９０ｃ、５１ｃの位置が一致するようになっている。よって、係る孔９０ｃ、５１ｃに不図示のピンを挿通して梯子受け９０の離脱と回転を防止する。
【００４３】
次いで、梯子１１０を踏板６２に載置し、梯子受け９０のブラケット９０ｂに立てかけ、支柱１１０ａの下端を踏板６２に固定する。
【００４４】
梯子１１０の支柱１１０ａを踏板６２に固定する方法としては、支柱１１０ａの下端に脚部材を取り付け、該脚部材を脚部材固定金具によって踏板６２に固定する。
【００４５】
図１０は本発明で好ましく用いられる脚部材の構成例を示す図であり、（ａ）は斜視図、（ｂ）は正面図、（ｃ）は側面図である。
【００４６】
係る脚部材１２１は、矩形の底片１２１ｂと、該底片１２１ｂの相対する一対の辺からそれぞれ立ち上がる一対の起立片１２１ａ，１２１ａを備え、正面から見て上部が開口するコ字状を呈している。そして、梯子１１０の支柱１１０ａの下端と底片１２１ｂとの間に所定の間隙を介して、一対の起立片１２１ａ，１２１ａによって支柱１１０ａの下端を挟持し、ピン１２１ｄによって支柱１１０ａが回動自在に取り付けられている。従って、梯子１１０を所定の角度で傾斜させて踏板６２に固定することができる。また、１２１ｃはゴム等からなる滑り止めであり、底片１２１ｂの裏側に取り付けられている。
【００４７】
図１１に、構成（１）で用いられる脚部材固定金具の構成例を示す。係る固定金具は上部挟持板１３０と下部挟持板１３１と２セットのボルト１３２とからなり、梯子の２本の支柱１１０ａ，１１０ａを１セットの固定金具で固定する。
【００４８】
係る固定金具の上部脚部板１３０は、長さが踏板６２の幅を超え、長手方向において梯子１１０の支柱１１０ａに対応する位置に、長手方向に直行する方向に突出する爪１３０ａ，１３０ａが形成されている。また、下部脚部板１３１は長さが踏板６２の幅を超えるように形成されている。
【００４９】
図１１（ａ）に示すように、上部挟持板１３１の爪１３０ａを脚部材１２１の底片１２１ｃと梯子の支柱１１０ａの下端との間に差し込んで、該爪１３０ａにより底片１２１ｃを押さえ、その状態で図１１（ｂ）に示すように、上部挟持板１３０と下部挟持板１３１とで踏板６２を挟持し、ボルト１３２，１３２で両者を締結することにより、梯子の下端を踏板６２に固定する。
【００５０】
次に、構成（２）について図７，図８，図１０，図１２を用いて説明する。図７は図８のＣ−Ｃ’断面をＢの方向から見た図である。
【００５１】
構成（２）においては、梯子１１０は踏板６２に載置し、庇１０１に立てかけて、支柱１１０ａの下端を踏板６２に固定する。本構成では庇以外にも建物の壁面やパラペットに梯子１１０を立てかけてもかまわない。
【００５２】
梯子１１０の支柱１１０ａの下端を踏板６２に固定する方法としては、構成（１）と同様に図１０に例示される脚部材１２１を用い、図１２に示す固定金具で固定する。係る固定金具は長尺の上部脚部板１４０と下部脚部板１４１と２セットのボルト１４２からなり、固定金具１セットで１本の支柱１１０ａを固定する。よって、梯子１１０に対しては２セットの固定金具を用いる。
【００５３】
係る固定金具の上部脚部板１４０は、長さが踏板６２の幅を超え、幅は支柱１１０ａの下端に取り付けた脚部材１２１の一対の起立片１２１ａ，１２１ａ間の間隙以下に構成されており、下部脚部板１４１は長さが踏板６２を超えるように形成されている。図１２に示すように、上部脚部板１４０を脚部材１２１の底片１２１ｃと梯子の支柱１１０ａの下端との間に挿通して、該上部脚部板１４０で底片１２１ｃを押さえ、その状態で上部挟持板１４０と下部挟持板１４１とで踏板６２を挟持し、ボルト１４２，１４２で両者を締結することにより、梯子１１０の下端を踏板６２に固定する。
【００５４】
構成（１）、（２）のいずれにおいても、好ましくは梯子１１０の転倒を防止するために、補助部材を用いることが好ましく、例えば図１２は、梯子１１０の桟１１０ｂと踏板６２とを両端にフックを備え、中間部にターンバックル１５０ａを備えた緊結具１５０で緊結した例である。また、当該構成以外にも、梯子１１０の支柱１１ａと繋部材８１等とを、昇降に障害とならない位置で単管やクランプなどで連結しても良い。このように、梯子１１０を補助部材で別途固定することにより、梯子１１０が確実に固定され、安定するため、吊足場上での作業の安全性を高めることができる。
【図面の簡単な説明】
【００５５】
【図１】本発明の吊足場構造の好ましい実施形態を示す図である。
【図２】図１の吊足場構造を異なる側から見た図である。
【図３】図１のＣ−Ｃ’断面を図２と同じ側から見た図である。
【図４】図１の吊足場構造を図２とは反対側から見た図である。
【図５】本発明の吊足場構造に梯子を取り付けた構成を示す図である。
【図６】図５の構成を異なる側から見た図である。
【図７】本発明の吊足場構造に梯子を取り付けた構成を示す図である。
【図８】図７の構成を異なる側から見た図である。
【図９】図５の構成において用いられる梯子受けと吊足場構造との連結方法を示す図である。
【図１０】本発明において梯子の支柱の下端に取り付けられる脚部材の構成例を示す図である。
【図１１】図５，図６の構成における、梯子の踏板への固定方法を示す図である。
【図１２】図７，図８の構成における、梯子の踏板への固定方法を示す図である。
【符号の説明】
【００５６】
１０  枠体
１１  腕部
１２  垂下部
１３  支柱部
１４  アンダーベース
１５  ジャッキベース
１６  受け部
２０  壁当てジャッキ（第１の当接部材）
２１，３１  筒体
２２，３２  軸部
３０  壁当てジャッキ（第２の当接部材）
４１  外ブラケット
４２  内ブラケット
５０  手摺
５１  手摺支柱
５１ａ  連結部
５１ｃ  孔
５２  長手摺棒
５３  短手摺棒
６１  フック
６２  踏板
８１，８２  繋部材
９０  梯子受け
９０ａ  支柱
９０ｂ  ブラケット
９０ｃ  孔
１００  腰壁
１０１  ひさし
１１０  梯子
１１０ａ  支柱
１１０ｂ  桟
１２１  脚部材
１２１ａ  起立片
１２１ｂ  底片
１２１ｃ  滑り止め
１２１ｄ  ピン
１３０，１４０  上部挟持板
１３０ａ  爪
１３０ｂ  孔
１３１，１４１  下部挟持板
１３２，１４２  ボルト
１５０  緊結具
１５０ａ  ターンバックル
２１ａ，３１ａ，４１ａ，４２ａ，５２ａ，５３ａ，８１ａ，８２ａ  差し込み片
【図１】
2008002261.tif 000003
【図２】
2008002261.tif 000004
【図３】
2008002261.tif 000005
【図４】
2008002261.tif 000006
【図５】
2008002261.tif 000007
【図６】
2008002261.tif 000008
【図７】
2008002261.tif 000009
【図８】
2008002261.tif 000010
【図９】
2008002261.tif 000011
【図１０】
2008002261.tif 000012
【図１１】
2008002261.tif 000013
【図１２】
2008002261.tif 000014